(57)【要約】      （修正有）【課題】臼歯と維持バンドとの係合をより強化できる歯列矯正装置を提供する。【解決手段】歯列矯正装置は、臼歯２に維持バンド３を弾性変形させて係脱自在に係合させることで歯列に沿った歯列方向に主線が固定される。維持バンドには、顎の開閉に伴い臼歯と係合する対向臼歯との離間距離が増減する方向を上下方向とした際に、上下方向に垂直な臼歯の断面における周長が最大の最大径部Ｍより歯根側の臼歯と係合する領域を歯列方向に延設することで増加させる係合強化部１０が設けられている。係合強化部は、上下方向の２箇所に設けられ、これにより、係合強化部の臼歯に係合する係合領域を増加させることができる。【選択図】図２
0003224769.tif 000002
【実用新案登録請求の範囲】
【請求項１】
臼歯（２）に維持バンド（３）を弾性変形させて係脱自在に係合させることで歯列に沿った歯列方向に主線（５）が固定され、
顎の開閉に伴い前記臼歯と係合する対向臼歯との離間距離が増減する方向を上下方向とした際に、前記維持バンドに前記上下方向に垂直な前記臼歯の断面における周長が最大の最大径部（Ｍ）より歯根側の前記臼歯と係合する領域を前記歯列方向に延設することで増加させる係合強化部（１０）が設けられる歯列矯正装置（１）において、
前記係合強化部は、前記上下方向の２箇所に設けられていることを特徴とする歯列矯正装置。
【請求項２】
請求項１に記載の歯列矯正装置において、
前記係合強化部は、前記上下方向の一方側に配される上側部（１０ｕ）と他方側に配される下側部（１０ｄ）とが一体的に形成されていることを特徴とする歯列矯正装置。
【請求項３】
請求項１または請求項２に記載される歯列矯正装置において、
前記係合強化部は、端部が溶接により接合されていることを特徴とする歯列矯正装置。
【考案の詳細な説明】
【技術分野】
【０００１】
本考案は、歯列矯正装置、特に、臼歯と維持バンドとの係合を強化する係合強化部を有する歯列矯正装置に関する。
【背景技術】
【０００２】
従来から、図３に示すような、臼歯に維持バンドを弾性変形させて係脱自在に係合させることで歯列に沿った歯列方向に主線が固定される歯列矯正装置１０１が知られている（例えば、特許文献１参照。）。
【０００３】
なお、図３に示す歯列矯正装置１０１は、所謂舌側弧線装置と呼ばれるものであり、臼歯１０２に維持バンド１０３を弾性変形させて係脱自在に係合させることで舌側の歯列に沿った歯列方向に主線１０５が固定される。
そして、対象となる対象歯Ｔを主線１０５に固定される補助弾線１０６の弾性回復力によって押圧することで歯列の矯正を行っている。
【０００４】
このような歯列矯正装置においては、図４（ａ）に示すように、顎の開閉に伴い臼歯１０２と係合する対向臼歯との離間距離が増減する方向を上下方向とした際に、維持バンド１０３に上下方向に垂直な断面における臼歯１０２の周長が最大の最大径部より歯根側の臼歯１０２と係合する領域を増加させる係合強化部１０７が設けられるものが知られている。
【０００５】
しかし、臼歯１０２の歯茎からの露出部分に鑑みると上下方向の領域が少ないため上下方向の歯根側へ延設させつつ係合強化部１０７の係合領域を確保するための設計自由度はそれほど大きくない。
また、係合強化部１０７を一体として一本の線材を加工する構成であるため、係合強化部１０７の加工精度等の問題もある。
【０００６】
そこで、対策として図４（ｂ）に示すように係合強化部１０７を比較的配置自由度の高い歯列方向に延設することで領域の確保を図った構成もある。
ここで、係合強化部１０７は別体に設けられており、ロウ付けや溶接により基部１０８に接続されている。このため、係合強化部１０７は単独に調整できるため加工精度を確保しやすく、基部１０８への接続も容易である。このため、維持バンド１０３の加工精度を高めることもできる。
【０００７】
しかし、このような係合強化部１０７を設けるものであっても係合領域としては十分ではなく、また係合領域の少なさに起因して弾性変形する領域も少なくなるため係合強化部１０７のそれぞれの部分に変形に伴って作用する力が大きくなり、係合強化部１０７が塑性変形してしまう問題もあった。
【先行技術文献】
【特許文献】
【０００８】
【特許文献１】実用新案登録第３１６１７３５号公報
【考案の概要】
【考案が解決しようとする課題】
【０００９】
本考案は、上記の問題点を解決するためになされたものであり、臼歯と維持バンドとの係合をより強化できる歯列矯正装置を提供する。
【課題を解決するための手段】
【００１０】
本考案によれば、歯列矯正装置は、臼歯に維持バンドを弾性変形させて係脱自在に係合させることで歯列に沿った歯列方向に主線が固定される。
ここで、維持バンドは、顎の開閉に伴い臼歯と係合する対向臼歯との離間距離が増減する方向を上下方向とした際に、上下方向に垂直な断面における周長が最大の最大径部より歯根側の臼歯と係合する領域を歯列方向に延設することで増加させる係合強化部が設けられている。
そして、係合強化部は、上下方向の２箇所に設けられている。
これにより、係合強化部による臼歯に係合する係合領域を増加させることができ、臼歯と維持バンドとの係合をより強化できる。
【図面の簡単な説明】
【００１１】
【図１】歯列矯正装置の平面図である（実施例）。
【図２】維持バンドの要部拡大図である（実施例）。
【図３】歯列矯正装置の平面図である（従来例）。
【図４】維持バンドの要部拡大図である（従来例）。
【考案を実施するための形態】
【００１２】
以下、考案を実施するための形態を実施例に基づいて説明する。
なお、以下の実施例は具体的な一例を開示するものであり、本考案が以下の実施例に限定されないことは言うまでもない。
【実施例】
【００１３】
本考案の実施例による歯列矯正装置１を図１、２に示す。
歯列矯正装置１は、所謂舌側弧線装置と呼ばれるものであり、臼歯２に維持バンド３を弾性変形させて係脱自在に係合させることで舌側の歯列に沿った歯列方向に主線５が固定される。
そして、対象となる対象歯Ｔを主線５に固定される補助弾線６の弾性回復力によって押圧することで歯列の矯正を行っている。
【００１４】
ここで、主線５は、ステンレス合金もしくはコバルトクロム合金の線材であり、両端が臼歯２に係合する維持バンド３と維持装置７を介して連結している。
また、維持バンド３もステンレス合金もしくはコバルトクロム合金の線材となっている。
【００１５】
[実施例の特徴]
実施例における歯列矯正装置１の特徴的な構成について図２を用いて説明する。
歯列矯正装置１の維持バンド３には、顎の開閉に伴い臼歯２と係合する対向臼歯との離間距離が増減する方向を上下方向とした際に、上下方向に垂直な断面における臼歯２の周長が最大の最大径部Ｍより歯根側の臼歯２と係合する領域を歯列方向に延設することで増加させる係合強化部１０が設けられている。
【００１６】
ここで、係合強化部１０は、上下方向に２箇所設けられている。
そして、係合強化部１０は、上下方向の一方側に配される上側部１０ｕと他方側に配される下側部１０ｄとが一体的に形成されている。
より具体的には係合強化部１０は、一本の線材をヘアピン状に折り曲げた構成となっている。
【００１７】
そして、係合強化部１０は、端部が溶接により接合されている。
より具体的には、係合強化部１０は、臼歯２を環状に取り囲む基部１１に対して上側部１０ｕの端部をレーザー溶接により接合している。
なお、基部１１は、臼歯２の最大径部Ｍの外周側に配されている。
【００１８】
［実施例の効果］
歯列矯正装置１において、維持バンド３は、顎の開閉に伴い臼歯２と係合する対向臼歯との離間距離が増減する方向を上下方向とした際に、上下方向に垂直な断面における臼歯２の周長が最大の最大径部Ｍより歯根側の臼歯２と係合する領域を歯列方向に延設することで増加させる係合強化部１０が設けられている。
そして、係合強化部１０は、上下方向の２箇所に設けられている。
【００１９】
これにより、係合強化部１０による臼歯２に係合する係合領域を増加させることができ、臼歯２と維持バンド３との係合をより強化できる。このため、歯列矯正装置１の脱落をより抑制することができる。
また、係合強化部１０の領域が増加することで変形時に作用する力が分散し、係合強化部１０の塑性変形を抑制することもできる。
さらに、係合強化部１０は比較的配置自由度の高い歯列方向に延設されているため、設計の自由度も高い。
【００２０】
係合強化部１０は、上下方向の一方側に配される上側部１０ｕと他方側に配される下側部１０ｄとが一体的に形成されている。
これにより、例えば、線材を折り曲げるだけで上側部１０ｕと下側部１０ｄとを形成できるため加工が容易である。
なお、係合強化部１０を上下方向の２箇所に設けるとは、上下方向視において、上側部１０ｕと下側部１０ｄに重なり領域が生じるような配置態様であることを意味している。
【００２１】
係合強化部１０は、端部がレーザー溶接により接合されている。
これにより、基部１１との接合を容易に行うことができる。
また、基部１１と係合強化部１０とを分離して別々にそれぞれを調整できるため、それぞれの加工精度を向上させることができる。このため、維持バンド３の加工精度をより高めることができる。
【００２２】
［変形例］
本考案は、その要旨を逸脱しない範囲で様々な変形例を考えることができる。
実施例においては、係合強化部１０は歯列方向に２箇所設けられているが、この個数に限定するものではない。
また、実施例においては、係合強化部１０は上側部１０ｕと下側部１０ｄとが一体であったが上側部１０ｕと下側部１０ｄとが別体となっておりそれぞれが基部１１に溶接等により接続されるものであってもよい。
【符号の説明】
【００２３】
１  歯列矯正装置  ２  臼歯  ３  維持バンド  ５  主線  １０  係合強化部  
Ｍ  最大径部
【図１】
0003224769.tif 000003
【図２】
0003224769.tif 000004
【図３】
0003224769.tif 000005
【図４】
0003224769.tif 000006